(57)【要約】【課題】低コストで、省電力化が容易で、無線通信機能に対するノイズも少なく、携帯電話機の筐体サイズを大きくすることなく、カメラユニットがどの角度にあっても対象物を照明することが可能なカメラ付き携帯端末を提供する。【解決手段】本発明のカメラ付き携帯端末は、表示部側の第１筐体Ａおよび操作部側の第２筐体Ｂが折り畳み可能に連結された構成を有する本体部と、カメラユニット７および照明装置１０を有する回転部Ｃとを備えている。回転部Ｃは第１筐体Ａに回転可能に連結されている。回転部Ｃを第１筐体Ａに対して回転させることにより、カメラユニット７および照明装置１０が第１筐体Ａに対して回転可能である。【選択図】        図２
2004320313.tif 000002
【特許請求の範囲】
【請求項１】
表示部と操作部とを備えた携帯端末本体と、
カメラユニットおよび半導体発光素子により発光可能な照明装置を有する回転部とを備え、
前記回転部は前記携帯端末本体に回転可能に連結されており、前記回転部を前記携帯端末本体に対して回転させることにより前記カメラユニットおよび前記照明装置を前記携帯端末本体に対して回転可能であることを特徴とする、カメラ付き携帯端末。
【請求項２】
前記携帯端末本体は、表示部側の第１筐体と操作部側の第２筐体とが折り畳み可能に連結された構成を有し、前記回転部は前記第１筐体に回転可能に連結されていることを特徴とする、請求項１に記載のカメラ付き携帯端末。
【請求項３】
前記携帯端末本体は、表示部側の第１筐体と操作部側の第２筐体とが折り畳み可能に連結された構成を有し、前記回転部は前記第１筐体と前記第２筐体とを連結するヒンジ部分に回転可能に連結されていることを特徴とする、請求項１に記載のカメラ付き携帯端末。
【発明の詳細な説明】
【０００１】
【発明の属する技術分野】
本発明は、カメラ付き携帯端末の改良に関するものである。
【０００２】
【従来の技術】
近年、携帯電話機等の携帯端末では、その内部にデジタルカメラユニットを内蔵し、ユーザーが動画もしくは静止画を手軽に撮影できるものが主流になっている。カメラユニットに使用される受光素子には、現在、Ｃ−ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）トランジスタもしくはＣＣＤ（Ｃｈａｒｇｅ  Ｃｏｕｐｌｅｄ  Ｄｅｖｉｃｅ）が使われ、日々感度の向上が図られている。しかし、暗い場所では、補助光源がないとテレビ電話等の動画を撮影する場合、コマ落ちおよびノイズが発生する。このため、ユーザーの撮影環境が暗く露出が不十分な場合、内蔵した照明装置により露出不足を補うことが可能な携帯電話も現れている。
【０００３】
そのような従来の携帯電話機における照明装置の一般的な配置の概略を図６および図７に示す。図６は、一般的な折り畳み方式の携帯電話の正面側斜視図であり、図７は、図６の携帯電話機を背面側斜視図である。
【０００４】
図６を参照して、表示側の第１筐体Ａと操作側の第２筐体Ｂとがヒンジ部３で折り畳み可能に連結されている。筐体Ａの表面側には、メイン表示部１、レシーバー２およびアンテナ４が設置されている。筐体Ｂには、通話用マイク５および操作用ツマミ６などが設置されている。
【０００５】
図７を参照して、筐体Ａの背面側には、カメラユニット７、背面表示部８、飾りパネル９および照明装置１０が設置されている。照明装置１０から放射される照明光の光軸（１点鎖線）は筐体Ｂの背面に対しほぼ垂直に向けられている。
【０００６】
この照明装置としては、デジタルカメラ等で一般的に用いられる蓄電機能を持ち瞬間的に放電することにより発光するフラッシュ発光装置（ストロボ）がある。このようなストロボをパソコン等の比較的電源に余裕のある装置に用いた例として、特開２００１−３２５０４３号公報がある。この公報では、ストロボは、カメラを備えた回動可能なカメラユニットに配設されている。
【０００７】
また、カメラユニットを回転させることにより、１個のカメラユニットにて、テレビ電話等で利用可能なユーザー自身を撮影するモードと、ユーザーに対面する人物または風景等を撮影するモードとを切替可能にした携帯端末も開発されている。そのような携帯電話機は、たとえば特開平８−２９４０３０号公報、特開２００２−３２５１２７号公報、特開２００２−３５４０８２号公報、特開２００２−１１１８３５号公報などに開示されているが、ここでは詳細に説明しない。
【０００８】
【特許文献１】
特開２００１−３２５０４３号公報
【０００９】
【特許文献２】
特開平８−２９４０３０号公報
【００１０】
【特許文献３】
特開２００２−３２５１２７号公報
【００１１】
【特許文献４】
特開２００２−３５４０８２号公報
【００１２】
【特許文献５】
特開２００２−１１１８３５号公報
【００１３】
【発明が解決しようとする課題】
図６および図７に示す従来例のように、カメラユニット７と照明装置１０との双方を筐体Ａに固定すると、ユーザー自身を撮影する場合と、ユーザーに対面する人物または風景等を撮影する場合とで、携帯電話機の向きを変えなければならない。また、ユーザー自身を撮影する場合には、操作用ツマミ６等の操作部がユーザーにとって筐体Ａの向こう側に位置するため操作が困難となる。
【００１４】
また、特開平８−２９４０３０号公報などのようにカメラユニットを回転させる場合には、照明装置が筐体に固定されていると、カメラユニットの回転によりカメラと照明装置とが異なる方向を向く場合が生じる。この場合、撮影対象から照明がずれてしまい、撮影対象を照明することが難しい。
【００１５】
また、特開２００１−３２５０４３号公報のようにカメラユニットの回転部にストロボを搭載することが考えられる。しかし、ストロボはキセノンなどを封入した放電管に高圧電流を通じて閃光を生じさせるものであり、高圧電流を用いるため省電力化が難しく、かつコストも高く、かつ放電管等を用いる必要からサイズも大きくなる。さらに、ストロボは、無線通信機能に対するノイズを生じさせる。このため、携帯電話機のように省電力、低コスト化および筐体サイズの縮小を求められ、かつ無線通信機能を有する用途にはストロボの採用は難しい。
【００１６】
さらにストロボは瞬間的に閃光を生じさせるものであるため、ＴＶ電話等の動画撮影において長時間連続して発光させる用途に用いることはできない。また、ストロボでは瞬間的に高い電流が流れるため、携帯電話機での配線上の問題も生じる。
【００１７】
それゆえ、本発明の目的は、低コストで、省電力化が容易で、無線通信機能に対するノイズも少なく、携帯電話機の筐体サイズを大きくすることなく、カメラユニットがどの角度にあっても対象物を照明することが可能なカメラ付き携帯端末を提供することである。
【００１８】
【課題を解決するための手段】
本発明のカメラ付き携帯端末は、表示部と操作部とを備えた携帯端末本体と、カメラユニットおよび半導体発光素子により発光可能な照明装置を有する回転部とを備えている。回転部は携帯端末本体に回転可能に連結されており、回転部を携帯端末本体に対して回転させることによりカメラユニットおよび照明装置を携帯端末本体に対して回転可能である。
【００１９】
本発明のカメラ付き携帯端末によれば、携帯端末本体に回転可能な回転部にカメラユニットと照明装置とを一体で配置することにより、ユーザーは、回転部を回転させ、カメラユニットを撮影対象に向けると、同時に照明装置もカメラユニットと同方向を向く。このため、周囲が暗い状況では、常に対象物を照明して、露出不足を解消した状態でカメラユニットで撮影することが可能となる。
【００２０】
また、照明装置は、たとえば高輝度のＬＥＤ（Ｌｉｇｈｔ  Ｅｍｉｔｔｉｎｇ  Ｄｉｏｄｅ）などの半導体発光素子により発光するものであるため、従来のストロボを用いたものよりも省電力化が容易で、かつコストも低くでき、かつサイズも小さくすることもでき、さらに無線通信機能に対するノイズを生じさせ難い。
【００２１】
また、半導体発光素子により発光する照明装置は、長時間連続して発光させることができるため、ＴＶ電話等の動画撮影にも適しており、またストロボのように瞬間的に高い電流が流れることもないため、携帯電話機での配線上の問題も生じない。
【００２２】
上記のカメラ付き携帯端末において好ましくは、携帯端末本体は、表示部側の第１筐体と操作部側の第２筐体とが折り畳み可能に連結された構成を有し、回転部は第１筐体に回転可能に連結されている。
【００２３】
上記のカメラ付き携帯端末において好ましくは、携帯端末本体は、表示部側の第１筐体と操作部側の第２筐体とが折り畳み可能に連結された構成を有し、回転部は第１筐体と第２筐体とを連結するヒンジ部分に回転可能に連結されている。
【００２４】
【発明の実施の形態】
以下、本発明の実施の形態を図面に基づいて説明する。
【００２５】
（実施の形態１）
図１は本発明の実施の形態１における携帯電話機の正面側斜視図であり、図２は図１で示した携帯電話機の背面側斜視図である。また、図３はカメラユニットと照明装置を有する回転部を回転させた状態を示す正面側斜視図である。
【００２６】
図１を参照して、本実施の形態の携帯電話機では、表示部と操作部を有する本体部Ａ、Ｂと、回転部Ｃとを有している。本体部Ａ、Ｂは、表示部を有する第１筐体Ａと操作部を有する第２筐体Ｂとがヒンジ部３で折り畳み可能に連結されることにより構成されている。
【００２７】
第１筐体Ａの表面側には、表示部としてメイン表示部１が設置されており、かつアンテナ４等も設置されている。第２筐体Ｂには、操作部となる操作用ツマミ６などのキーが設置されており、かつ通話用マイク５等も設置されている。
【００２８】
図２を参照して、第１筐体Ａの背面側には、飾りパネル９と、その飾りパネル９内に配置された背面表示部８とが設置されている。
【００２９】
図１および図２を参照して、回転部Ｃには、レシーバー２が設置されており、そのレシーバー２の反対面側にカメラユニット７と照明装置１０とが一体に設置されている。この照明装置１０は、たとえば常時発光可能な高輝度白色ＬＥＤなどの半導体発光素子を有している。回転部Ｃは本体部Ａ、Ｂに回転可能に連結されている。具体的には、回転部Ｃは、第１筐体Ａの切り欠き部内で回転軸Ｃａを中心として回転可能なように第１筐体Ａに連結されている。これにより、回転部Ｃを第１筐体Ａに対して回転させることができ、カメラユニット７および照明装置１０を第１筐体Ａに対して回転可能である。また、カメラユニット７および照明装置１０を第１筐体Ａの表面側と背面側とを含む１８０°を越える範囲で回転させることが可能である。
【００３０】
図１および図２の状態では、レシーバー２は、メイン表示部１およびマイク５と同じように第１筐体Ａの表面側に向いているため、通常の通話を行える状態になっている。カメラユニット７は第１筐体Ａの背面側に向いているため、メイン表示部１にて撮影対象を確認しながら、対面する対象物を撮影可能である。また、照明装置１０も第１筐体Ａの背面側に向いているため、第１筐体Ａの背面の撮影対象物に対し照明を当てることが可能である。これにより、周囲が暗い状況では、対象物を照明して、露出不足を解消した状態でカメラユニット７で撮影することが可能となる。
【００３１】
図３は、図１および図２の状態から、回転部Ｃを回転軸Ｃａを中心に矢印方向に回転させた状態を示す。この状態では、カメラユニット７および照明装置１０は第１筐体Ａの表面側に向いているため、メイン表示部１と同一面側に固定することができる。これにより、カメラユニット７でユーザー自身の撮影が可能となり、テレビ電話等で使用することが可能となる。また照明装置１０も表面側を向いているため、ユーザー自身に照明を当てることができる。これにより、周囲が暗い状況では、ユーザー自身を照明して、露出不足を解消した状態でカメラユニット７で撮影することが可能となる。
【００３２】
なお、図１の状態でも、図３の状態でも、第１筐体Ａおよび第２筐体Ｂは問題無く折り畳むことが可能である。
【００３３】
また、図１と図３との中間のどの角度位置でも回転部Ｃを固定することは可能である。これにより、背面側および表面（メイン表示部）側以外にもカメラユニット７および照明装置１０を向けることが可能である。ただし、その状態では、第１筐体Ａおよび第２筐体Ｂを折り畳むことはできない。
【００３４】
本実施の形態によれば、カメラユニット７と照明装置１０とを一体の回転部Ｃに設置し、その回転部Ｃを第１筐体Ａに対して回転可能にすることにより、カメラユニット７を第１筐体Ａの表面側と背面側とのいずれにも向けることができる。これにより、対向する対象を撮影可能なモードと、ユーザー自身を撮影可能なモードとを切り変えることが可能になる。このカメラユニット７とともに、照明装置１０も第１筐体Ａの表面側と背面側とのいずれにも向けることができる。このため、周囲が暗い状況では、常に対象物を照明して、露出不足を解消した状態でカメラユニット７で撮影することが可能となる。
【００３５】
また、照明装置１０は、たとえば高輝度のＬＥＤなどの半導体発光素子により発光するものであるため、従来のストロボを用いたものよりも省電力化が容易で、かつコストも低くでき、かつサイズも小さくすることもでき、さらに無線通信機能に対するノイズを生じさせ難い。
【００３６】
また、半導体発光素子により発光する照明装置１０は、長時間連続して発光させることができるため、ＴＶ電話等の動画撮影にも適しており、またストロボのように瞬間的に高い電流が流れることもないため、携帯電話機での配線上の問題も生じない。
【００３７】
（実施の形態２）
図４は本発明の実施の形態２における携帯電話機の正面側斜視図であり、図５は図４で示した携帯電話機のカメラユニットと照明装置とを有する回転部を回転させた状態を示す背面側斜視図である。
【００３８】
図４および図５を参照して、本実施の形態の構成は、実施の形態１の構成と比較して、カメラユニット７と照明装置１０とを有する回転部Ｃの設置場所が異なる。本実施の形態では、回転部Ｃは、表示部を有する第１筐体Ａと操作部を有する第２筐体Ｂとを折り畳み可能に連結するヒンジ部３に回転可能に連結されている。この回転部Ｃはヒンジ部３と同軸上で回転可能で、第１筐体Ａと第２筐体Ｂとの中間位置に設置されている。ヒンジ部３と同軸上で回転部Ｃを回転させることにより、カメラユニット７および照明装置１０を第１筐体Ａの表面側および背面側のいずれにも向けることができる。カメラユニット７および照明装置１０を第１筐体Ａの表面側と背面側とを含む１８０°を越える範囲で回転させることが可能である。
【００３９】
本実施の形態では、実施の形態１のように第１筐体Ａに回転部を配置するための切り欠き部を設ける必要はない。
【００４０】
なお、これ以外の構成については上述した実施の形態１の構成とほぼ同じであるため、同一の構成要素については同一の符号を付し、その説明を省略する。
【００４１】
図４の状態では、カメラユニット７は第１筐体Ａの表面側に向いているため、メイン表示部１と同一面側にカメラユニット７を固定することができる。これにより、カメラユニット７でユーザー自身の撮影が可能となり、テレビ電話等で使用することが可能となる。また照明装置１０も表面側を向いているため、ユーザー自身に照明を当てることができる。これにより、周囲が暗い状況では、ユーザー自身を照明して、露出不足を解消した状態でカメラユニット７で撮影することが可能となる。
【００４２】
図５は、図４の状態から、回転部Ｃをヒンジ部３内の回転軸（図示せず）を中心に矢印方向に回転させた状態を示す。この状態では、カメラユニット７および照明装置１０は第１筐体Ａの背面側に向いているため、メイン表示部１にて撮影対象を確認しながら、対面する対象物を撮影可能である。また、照明装置１０も第１筐体Ａの背面側に向いているため、第１筐体Ａの背面の撮影対象物に対し照明を当てることが可能である。これにより、周囲が暗い状況では、対象物を照明して、露出不足を解消した状態でカメラユニット７で撮影することが可能となる。
【００４３】
なお、図４の状態でも、図５の状態でも、第１筐体Ａおよび第２筐体Ｂは問題無く折り畳むことが可能である。
【００４４】
また、本実施の形態においては、折り畳み方式の携帯電話機について説明したが、本発明はこれに限定されるものではなく、ストレートタイプやフリップタイプに適用することもできる。
【００４５】
また、照明装置１０は、たとえば常時発光可能な高輝度白色ＬＥＤであってもよいが、これに限定されるものではなく、半導体発光素子であればよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４７】
【発明の効果】
以上説明したように本発明のカメラ付き携帯端末によれば、携帯端末本体に回転可能な回転部にカメラユニットと照明装置とを一体で配置することにより、ユーザーは、回転部を回転させ、カメラユニットを撮影対象に向けると、同時に照明装置もカメラユニットと同方向を向く。このため、周囲が暗い状況では、常に対象物を照明して、露出不足を解消した状態でカメラユニットで撮影することが可能となる。
【００４８】
また、照明装置は、たとえば高輝度のＬＥＤなどの半導体発光素子により発光するものであるため、従来のストロボを用いたものよりも省電力化が容易で、かつコストも低くでき、かつサイズも小さくすることもでき、さらに無線通信機能に対するノイズを生じさせ難い。また、半導体発光素子により発光する照明装置は、長時間連続して発光させることができるため、ＴＶ電話等の動画撮影にも適しており、またストロボのように瞬間的に高い電流が流れることもないため、携帯電話機での配線上の問題も生じない。
【図面の簡単な説明】
【図１】本発明の実施の形態１における携帯電話機の正面側斜視図である。
【図２】図１で示した携帯電話機の背面側斜視図である。
【図３】図１、図２の状態からカメラユニットと照明装置とを有する回転部を回転させた状態を示す正面側斜視図である。
【図４】本発明の実施の形態２における携帯電話機の正面側斜視図である。
【図５】図４で示した携帯電話機のカメラユニットと照明装置とを有する回転部を回転させた状態を示す背面側斜視図である。
【図６】一般的な折り畳み方式の携帯電話機の正面側斜視図である。
【図７】図６の携帯電話機の背面側斜視図である。
【符号の説明】
Ａ  第１筐体、Ｂ  第２筐体、Ｃ  回転部、Ｃａ  回転軸、１  メイン表示部、２  レシーバー、３  ヒンジ部、４  アンテナ、５  マイク、６  操作用ツマミ、７  カメラユニット、８  背面表示部、９  飾りパネル、１０  照明装置。
【図１】
2004320313.tif 000003
【図２】
2004320313.tif 000004
【図３】
2004320313.tif 000005
【図４】
2004320313.tif 000006
【図５】
2004320313.tif 000007
【図６】
2004320313.tif 000008
【図７】
2004320313.tif 000009